(57)【要約】【課題】アノードガス流路内の加湿を行うに好適な燃料電池用セパレータ、燃料電池スタック及び燃料電池システムを提供する。【解決手段】燃料電池用セパレータ１３のアノードガス出口マニホールド１６を形成する貫通孔を当該セパレータ１３の面方向に拡張させて形成され、前記アノードガス流路１５の出口から排出される生成水を貯留する水溜り部５０を備える。カソード側より浸透してきた生成水の気化により加湿されたアノードガスがアノードガス出口マニホールド１６を通過する際に、アノードガス出口マニホールド１６の周囲に凝縮水が付着し、水溜り部５０内に凝縮した液水が溜まることになる。【選択図】図２
2010129482.tif 000002
【特許請求の範囲】
【請求項１】
一方の面にアノードガスを流通させるアノードガス流路と、
前記アノードガス流路の一端に形成され、アノードガスを前記アノードガス流路に供給するアノードガス入口マニホールドと、前記アノードガス流路の他端に形成され、アノードガスを前記アノードガス流路から排出するアノードガス出口マニホールドと、を備える燃料電池用セパレータであって、
前記燃料電池用セパレータは、アノードガス出口マニホールドを形成する貫通孔を当該セパレータの面方向に拡張させて形成され、前記アノードガス流路の出口から排出される生成水を貯留する水溜り部を備えることを特徴とする燃料電池用セパレータ。
【請求項２】
前記セパレータに冷媒を供給する冷媒入口マニホールドを前記セパレータのアノードガス流路方向の一端に備え、
前記セパレータから冷媒を排出する冷媒出口マニホールドを前記セパレータのアノードガス流路方向の他端に備え、
前記アノードガス出口マニホールドは、冷媒入口マニホールドに隣接させて配置されることを特徴とする請求項１に記載の燃料電池用セパレータ。
【請求項３】
前記水溜り部は、アノードガス流路を含むアノードガスが通過する領域に連通する延長部を備えることを特徴とする請求項１または請求項２に記載の燃料電池用セパレータ。
【請求項４】
前記延長部は、アノードガス流路の上流側ガス拡散領域、アノードガス入口マニホールドの少なくとも一つの領域に連通されていることを特徴とする請求項３に記載の燃料電池用セパレータ。
【請求項５】
前記請求項１から請求項４のいずれか一つに記載のセパレータは、他方の面にカソードガスを流通させるカソードガス流路を備え、
電解質膜の夫々の面に触媒層及びガス拡散層を積層してアノードおよびカソードとなる反応エリアを構成するセル構成体の一方の反応エリアに、前記セパレータのアノードガス流路を対面させて積層し、前記セル構成体の他方の反応エリアに、前記セパレータのカソードガス流路を対面させて積層することにより燃料電池セルを構成し、前記燃料電池セルを複数積層して構成したことを特徴とする燃料電池スタック。
【請求項６】
前記請求項５に記載の燃料電池スタックは、アノード側経路の終端部分としてアノードガス出口マニホールドの下流側を閉じて構成され、
前記燃料スタック内部のアノードガス流路の圧力が加圧される過程と減圧される過程とを繰り返すように前記アノードに燃料ガスを供給する運転を行うことを特徴とする燃料電池システム。
【発明の詳細な説明】
【技術分野】
【０００１】
本発明は、燃料電池用セパレータ、燃料電池スタック及び燃料電池システムに関し、特に、発電に伴う生成水などの燃料電池内部の水を利用して電解質膜の加湿を行うに好適な燃料電池用セパレータ、燃料電池スタック及び燃料電池システムに関するものである。
【背景技術】
【０００２】
従来から発電に伴う生成水などの燃料電池内部の水を利用して電解質膜の加湿を行う燃料電池システムが提案されている(特許文献１参照)。
【０００３】
これは、反応ガスの加湿手段として、電解質膜(ＭＥＡ)の触媒層を備える反応エリア(アクティブエリア)の外側に触媒層を持たない電解質膜のみからなる部位（加湿エリア）を設け、一方のガス流路出口の水を、電解質膜を介して他方のガス流路入り口に移動させることでガスを加湿するようにしている。
【特許文献１】特開２００８−９７８９１号公報
【発明の開示】
【発明が解決しようとする課題】
【０００４】
しかしながら、上記従来例では、低負荷運転時にカソードガスの出口側の相対湿度が極めて低下しているため、ＭＥＡのアクティブエリアの外側に加湿エリアを設けたとしてもアノードガスの下流側セル内部での加湿能力が低下しているので、アノードガス流路内を十分に加湿できない。
【０００５】
そこで本発明は、上記問題点に鑑みてなされたもので、アノードガス流路内の加湿を行うに好適な燃料電池用セパレータ、燃料電池スタック及び燃料電池システムを提供することを目的とする。
【課題を解決するための手段】
【０００６】
本発明は、燃料電池用セパレータのアノードガス出口マニホールドを形成する貫通孔を当該セパレータの面方向に拡張させて形成され、前記アノードガス流路の出口から排出される生成水を貯留する水溜り部を備えることを特徴とする。
【発明の効果】
【０００７】
したがって、本発明では、セパレータのアノードガス出口マニホールドは温度が高く、アノードガス流路の出口に近く、水溜り部の液水を水蒸気濃度差を駆動力としてアノードガス流路内に気化させることができる。したがって、アノードガス流路の出口側からアノード流路内の加湿を促進することができる。
【発明を実施するための最良の形態】
【０００８】
以下、本発明の燃料電池用セパレータ、燃料電池スタック及び燃料電池システムを各実施形態に基づいて説明する。
【０００９】
（第１実施形態）
図１は、本発明を適用した燃料電池システムの第１実施形態を示す構成図である。図１において、燃料電池システムは、燃料電池スタック１と、燃料電池スタック１に電気化学反応に供される反応ガスとしての燃料ガス(水素ガス)を供給する燃料ガス供給手段２と、燃料電池スタック１に電気化学反応に供される反応ガスとしての酸化ガス(空気)を供給する酸化ガス供給手段３と、燃料電池スタック１を冷却する冷却媒体（水、エチレングリコール等の不凍水、空気等。以下では、冷却媒体に冷却水を用いる場合について説明する。）を供給する冷却媒体供給手段４と、これらを制御する制御装置５と、を備える。
【００１０】
前記燃料ガス供給手段２は、燃料電池スタック１の積層方向に配置された後述するアノードガス入口マニホールド１４（図２参照）を経由して各燃料電池セルのアノードに、高圧水素を貯蔵した水素タンク２１から、供給配管２２を介して水素を供給する。水素タンク２１の代わりに、アルコール、炭化水素などを原料とする改質反応によって水素を生成してもよい。供給配管２２には、水素の供給を調整するため、調圧弁２３が配置されている。また、燃料電池スタック１の積層方向に配置された後述するアノードガス出口マニホールド１６（図２参照）を経由して、アノードから排出される燃料ガスを、外部へ排出する排ガスライン２４を備え、排ガスライン２４には排ガスパージ弁２５が配置されている。
【００１１】
前記酸化ガス供給手段３は、燃料電池スタック１の積層方向に配置された後述するカソードガス入口マニホールド１７（図２参照）を経由して各燃料電池セルのカソードに、コンプレッサ３１から配管３２を介して酸化ガスとしての空気を供給する。また、燃料電池スタック１の積層方向に配置された後述するカソードガス出口マニホールド１９（図２参照）を経由して、カソードから排出される酸化ガスを、排出配管３３を介して大気中に放出する。排出配管３３には酸化ガス供給経路における各内圧を調整するための背圧調整弁３４が配置されている。
【００１２】
前記冷却媒体供給手段４は、燃料電池スタック１の積層方向に配置された後述する冷却水入口マニホールド４３（図２参照）を経由して各燃料電池セル間に配置された冷却水流路に、冷却水を供給する。また、燃料電池スタック１の積層方向に配置された後述する冷却水出口マニホールド４４（図２参照）を経由して各燃料電池セル間に配置された冷却水流路から排出される冷却水を、図示しないラジエータに戻し、再び燃料電池スタック１へ循環させる。
【００１３】
前記燃料電池スタック１は、複数の燃料電池セルを積層した燃料電池モジュール１０を図示しないインシュレータ及びターミナルを挟んで、一対のエンドプレート１１により挟持される。一対のエンドプレート１１は、図示しないテンション手段等によりセル積層方向に所定の力で燃料電池モジュール１０を圧縮挟持する構成を備える。
【００１４】
前記燃料電池セルは、図２に示すように、セル構成体１２を一対のセパレータ１３（ａ）,１３（ｂ）により、図示しない環状のシールを介在させて、積層して構成している。図中の（Ａ）に示すセパレータ１３（ａ）及び（Ｂ）に示すセル構成体１２は上下方向が鉛直方向となる図示状態で、セパレータ１３（ａ）上にセル構成体１２が積層されるものであり、（Ｃ）に示すセパレータ１３（ｂ）は鉛直方向となる上下方向を反転した状態で図示しており、図中の表示されている面が図示のセル構成体１２に対面させて積層されるものである。
【００１５】
前記セル構成体１２は、ＭＥＡ（Ｍｅｍｂｒａｎｅ−Ｅｌｅｃｔｒｏｄｅ  Ａｓｓｅｍｂｌｙ）と、ＭＥＡの反応エリアの両面に、例えばカーボン製の多孔質部材である一対のガス拡散層Ｇを夫々積層して構成される。前記ＭＥＡは、固体高分子材料、例えばパーフルオロカーボンスルホン酸を備えるフッ素系樹脂により形成されたプロトン伝導性のイオン交換膜であり、湿潤状態で良好な電気伝導性を示す電解質膜１２Ａと、電解質膜１２Ａの反応エリアの夫々の面にアノードおよびカソードを構成するよう、電気化学反応を促進する触媒、例えば、白金、あるいは白金と他の金属から成る合金を備えている一対の電極触媒層を接合して形成している。
【００１６】
前記セパレータ１３は、積層方向から見た外郭形状が同じに形成され、導電性材料による薄板状部材で形成されている。そして、セパレータ１３は、セル構成体１２を両面から挟むように配置されて、一方の面のみがセル構成体１２に接触するカソード側セパレータ１３（ａ）及びアノード側セパレータ１３（ｂ）と、から構成される。
【００１７】
前記アノード側セパレータ１３（ａ）は、一方の面であるセル構成体１２の反応エリアに接触する部位に、後述するアノード入口内部マニホールド１４からアノード出口内部マニホールド１６に到る多数のアノードガス流路１５を備える。前記カソード側セパレータ１３（ｂ）は、一方の面であるセル構成体１２の反応エリアに接触する部位に、後述するカソード入口内部マニホールド１７からカソード出口内部マニホールド１９に到る多数のカソードガス流路１８を備える。前記セパレータ１３のアノードガス入口マニホールド１４及びアノードガス出口マニホールド１６とアノードガス流路１５との間、及び、カソードガス入口マニホールド１７及びカソードガス出口マニホールド１９とカソードガス流路１８との間には、夫々ガス拡散領域１５Ａ，１５Ｂが配置される。
【００１８】
また、前記カソード側セパレータ１３（ｂ）及びアノード側セパレータ１３（ａ）は、背面同士が接触され、接触するいずれか一方の面若しくは両方の面に後述する冷却水入口マニホールド４３から冷却水出口マニホールド４４に到る、図３に示すように、多数の冷却水流路を備える。
【００１９】
前記セル構成体１２及びセパレータ１３には、前記セル構成体１２の反応エリアに対する両側のエリアにおいて、（燃料ガス用および酸化ガス用）ガス流路１５，１８および冷却水流路の入口および出口に夫々独立して連通するマニホールド形成用の貫通穴が積層方向に沿って形成されている。図示例では、図中左側領域においては、カソードガス入口マニホールド１７、冷却水入口マニホールド４３、アノードガス出口マニホールド１６が鉛直方向となる上方から下方に向かってこの順に配列されて形成されている。また、図中右側領域においては、アノードガス入口マニホールド１４、冷却水出口マニホールド４４、カソードガス出口マニホールド１９が鉛直方向の上方から下方に向かってこの順に配列されて形成されている。
【００２０】
カソードガス入口マニホールド１７とアノードガス出口マニホールド１６とが同じ領域側(図中左側領域)に配置され、また、カソードガス出口マニホールド１９とアノードガス入口マニホールド１４とが同じ領域側(図中右側領域)に配置されているため、アノードガス流路１５を流れるアノードガスとカソードガス流路１８を流れるカソードガスとはセル構成体１２を挟んで互いに逆方向に流れる。そして、アノードガス流路１５の出口とカソードガス流路１８の入口とがセル構成体１２の電解質膜１２Ａを挟んで対面し、アノードガス流路１５の入口とカソードガス流路１８の出口とがセル構成体１２の電解質膜１２Ａを挟んで対面している。
【００２１】
前記セパレータ１３（１３（ａ），１３（ｂ））に形成されるアノードガス出口マニホールド１６は、セル構成体１２の反応エリアの鉛直方向の下側よりも更に下方領域に容積が拡大されて、隣接するセル構成体１２の電解質膜１２Ａにより仕切られて溝に形成される。この拡大されたアノードガス出口マニホールド１６の溝は、アノードガス流路１５の出口から排出される生成水を溜める水溜り部５０を構成する。即ち、前記水溜り部５０は、アノードガス出口マニホールド１６において、積層方向において、電解質膜１２Ａにより夫々仕切られて、セパレータ１３毎、即ち、燃料電池セル毎に形成される。
【００２２】
前記制御装置５は、燃料ガス供給手段２の水素調圧弁２３を開放することにより、水素タンク２１の水素を燃料電池スタック１のアノードガス入口マニホールド１４に供給する。アノードガス入口マニホールド１４に供給された水素は、セパレータ１３のアノードガス流路１５を経由してアノードガス出口マニホールド１６に向かって流れ、アノードガス出口マニホールド１６に充満された段階で排ガスライン２４の排ガスパージ弁２５が閉じられる。水素ガスはセル構成体１２の一方の面における反応エリアのガス拡散層、触媒層に供給される。
【００２３】
そして、水素タンク２１の水素を、調圧弁２３を介して燃料電池スタック１内に供給した段階で、調圧弁２３を閉じ、燃料電池スタック１内のアノードガス入口マニホールド１４−アノードガス流路１５−アノードガス出口マニホールド１６系統の水素が電池反応により消費させ、圧力低下を発生させる。この内圧低下に伴ってアノードガス出口マニホールド１６内のアノードガスがアノードガス流路１５に向かって逆流する現象を生ずる。圧力が所定以下に低下した段階で、再び調圧弁２３を開いて、アノードガスがアノードガス入口マニホールド１４−アノードガス流路１５−アノードガス出口マニホールド１６と断続的にアノードガスを供給するようにする。このような燃料ガス供給手段２を備える燃料電池システムは、アノードガスデッドエンド型の燃料電池システムを構成している。
【００２４】
なお、水素タンク２１の水素を、調圧弁２３を介して燃料電池スタック１内に供給しつつ、排ガスパージ弁２５を開いて排ガスライン２４から排出させることで、連続的に燃料電池スタック１に供給するようにしてもよい。
【００２５】
また、前記制御装置５は、酸化ガス供給手段３のコンプレッサ３１を作動させることにより、空気を燃料電池スタック１のカソードガス入口マニホールド１７に供給する。カソードガス入口マニホールド１７に供給された空気は、セパレータ１３のカソードガス流路１８を経由してカソードガス出口マニホールド１９に向かって流れる。この過程で酸化ガスはセル構成体１２の他方の面における反応エリアのガス拡散層、触媒層に供給される。また、背圧調整弁３４を制御することにより、酸化ガス供給経路における各内圧を調整する。
【００２６】
また、前記制御装置５は、冷却媒体供給手段４の図示しない冷却水循環ポンプを作動させることにより、冷却水を燃料電池スタック１の冷却水入口マニホールド４３に供給する。冷却水入口マニホールド４３に供給された冷却水は、セパレータ１３の冷却水流路を経由して冷却水出口マニホールド４４に向かって流れる。この過程で冷却水は反応エリアの温度を調節する。
【００２７】
セル構成体１２の反応エリアに空気と水素が供給されることにより、セル構成体１２の電解質膜１２Ａを介した電気化学的反応が生じ、発電が行われる。発電に伴い、空気と水素の反応の結果、カソードガス流路１８で水が生成する。カソードガス流路１８の空気はこの生成水を含みながら流れるため、カソードガス流路１８の出口側の空気は相対的に湿度が高くなる。そのため、カソードガス流路１８には、その出口側ほど、多くの水が存在する傾向になる。
【００２８】
ところで、カソードガス流路１８の下流側では相対湿度が高くなり、カソード側とアノード側の相対湿度差をドライビングフォースとして、電解質膜１２Ａ中を生成水が逆拡散し、アノードガス流路１５の上流側を加湿する。そして、アノードガス流路１５の水蒸気はアノード下流側に運ばれてカソード上流の電解質膜１２Ａを加湿するよう機能する。このように、アノード・カソード・カウンタフローで互いの極を加湿する技術はかなり以前から公知である。
【００２９】
この公知の技術によれば、水収支が湿潤（ウェット）側になるような運転条件(中高負荷状態)で燃料電池システムを運転した場合には、ガス流量が比較的多く、ガス圧力を上げることができるため、上記アノード・カソード・カウンタフローの機能が充分に発揮されて、カソードガス(出口側)の相対湿度を高く維持することができる。このため、カソードガス流路１８出口の水を、電解質膜１２Ａを介してアノードガス流路１５入口に移動させてアノードガスを加湿することができる。したがって、最も乾燥しやすいカソードガス流路１８の上流領域(アノードガス流路１５の下流領域)で電解質膜１２Ａの湿潤状態を維持することができる。
【００３０】
しかしながら、水収支が乾燥（ドライ）側の条件(低負荷状態)で燃料電池システムを運転した場合には、ガス圧力を上げることができない（流量が少ないので、コンプレッサ３１の特性上からその圧力を上げられない）ため、カソードガス流路１８の下流側での相対湿度が低くなる。このため、カソードガス流路１８出口側から電解質膜１２Ａを介してアノードガス流路１５入口に水を移動させてアノードガスを加湿することが難しくなる。したがって、アノードガス流路１５の出口側(カソードガス流路１８の上流側)が乾燥（ドライ）のままとなり、比較的に乾燥（ドライ）したカソードガスが供給される上流領域(アノードガス流路１５の下流領域)の電解質膜１２Ａ及び触媒層が乾燥してしまい、発電が行われなくなる。
【００３１】
カソードガス流路１８の上流領域(アノードガス流路１５の下流領域)での発電が行われなくなると、残る領域で負荷相当分の発電が行われるようになる。しばらく時間が経過すると、次には上記した上流領域(アノードガス流路１５の下流領域)に隣接する領域が乾燥し、その領域で発電が行われなくなる。このような現象が連鎖的に発生し、条件によっては、最終的にカソードガス流路１８の下流領域(アノードガス流路１５の上流領域)のみが発電するような状態になり、セル電圧が低下する。
【００３２】
これに対し、本実施形態では、水収支が湿潤（ウェット）側になるような運転条件(中高負荷状態)での燃料電池システムを運転した時に生ずるアノードガス流路１５の水蒸気が、アノード下流側に運ばれてアノードガス出口マニホールド１６に排出され、アノードガス出口マニホールド１６に隣接する冷却水入口マニホールド４３の冷却水により冷却され、凝縮されて、アノードガス出口マニホールド１６のセパレータ１３により形成した溝による水溜り部５０に凝縮水として溜められる。アノード出口内部マニホールド１６内の凝縮水は温度が高いので、アノード出口内部マニホールド１６内の水蒸気分圧が高く保持できる。その結果、もっとも乾燥（ドライ）状態になり易いアノードガス流路１５の下流部（カソードガス流路１８の上流部）を水蒸気の拡散により加湿することができる。
【００３３】
このため、水収支が乾燥（ドライ）側の条件(低負荷状態)で燃料電池システムを運転した場合にも、最も乾燥（ドライ）状態になり易いアノードガス流路１５の下流部（カソードガス流路１８の上流部）を水蒸気の拡散により加湿することができる。結果として、アノードガス流路１５を出口側から加湿することにより、公知の技術で説明したような乾燥領域が上流から中流に進行していく連鎖が起きなくなり、安定して発電を継続することができる。
【００３４】
また、図１に示すアノードガスデッドエンド型の燃料電池システムでは、燃料電池スタック１内のアノードガス入口マニホールド１４−アノードガス流路１５−アノードガス出口マニホールド１６系統に閉じこめた水素が電池反応により消費されて、内圧低下する段階で、アノードガス出口マニホールド１６内のアノードガスがアノードガス流路１５に向かって逆流する現象を生ずる。このアノードガスの逆流に伴ってアノードガス出口マニホールド１６内に気化蒸発した水蒸気をアノードガス流路１５に供給でき、簡単な構成で有効に加湿効果を発揮させることができる。
【００３５】
上記したアノードガス出口マニホールド１６のセパレータ１３の溝により形成した水溜り部５０は、下方に拡大された空間のみにより形成されているものについて説明しているが、この溝に吸水機能を備えた多孔質材を挿入配置するようにすることもできる。このように多孔質材を挿入配置した場合には、水溜り部５０内に溜まる凝縮水を吸水して流出しないように保持することができる。このため、水平方向にセパレータ１３とセル構成体１２とを積層して構成した燃料電池スタック１の場合は、上記したように溝内を水溜り部５０に形成できることは当然であるが、鉛直方向にセパレータ１３とセル構成体１２とを積層して構成した燃料電池スタック１においても、溝内に多孔質材により凝縮水を各セルごとに溜められる水溜り部５０を形成できる。このため、燃料電池の配置的な自由度を確保しつつ、各セル毎に均一に加湿効果を得られるという利点も存在する。
【００３６】
上記した燃料電池スタック１を、燃料電池スタック１から排出される排水素を供給配管２２に戻すようにした、図４に示す燃料電池システムに適用する場合には、更に一層加湿効果を得られる。即ち、図４に示す燃料電池システムでは、水素循環ブロア２７を備える水素循環ライン２６を形成し、アノードからアノードガス出口マニホールド１６を経由して排出される燃料ガスを水素循環ライン２６、エゼクタ２８を介して供給配管２２に戻すようにしている。
【００３７】
このような燃料電池システムに本実施形態の燃料電池スタック１を適用した場合には、アノードガス出口マニホールド１６内にから流出する水素循環ライン２６の水素ガスも加湿できるので、アノードガス入口マニホールド１４から供給される水蒸気量も多くなり、電解質膜１２Ａの湿潤状態を改善することができる。このため、公知の技術で説明したような乾燥領域が上流から中流に進行していく連鎖が起きなくなり、安定して発電を継続することができる。
【００３８】
前記した液水の気化による加湿効果は、アノードガス排出口側からアノードガス供給側に向かって（通常とは逆方向に）のガス流れを起こさせるような燃料電池システムでは、気化した水蒸気がアノードガス供給側に向かってのガス流れに運ばれて反応エリアに到達しやすくなるため、より大きい加湿効果が期待できる。即ち、図５はアノードガスの流れを逆方向に流すことも可能な燃料電池システムを示すものである。この燃料電池システムにおいては、図１に示す燃料電池システムに対して、水素タンク２１から分岐させて燃料電池スタック１のアノードガス出口マニホールド１６側に燃料ガスを供給する逆方向供給ライン２９が追加され、逆方向供給ライン２９には逆方向供給弁２９Ａが配置されている。
【００３９】
この燃料電池システムにおいては、逆方向供給弁２９Ａを閉じた状態で調圧弁２３を開放した場合には、供給した水素はアノードガス入口マニホールド１４からアノードガス流路１５を経由してアノードガス出口マニホールド１６に流れる。アノードガス流路１５からアノードガス出口マニホールド１６に流れるアノードガスに含まれる水蒸気は、アノードガス出口マニホールド１６のセパレータ１３で構成された溝による水溜り部５０に凝縮水として溜まり、また、アノードガス出口マニホールド１６内に水蒸気として気化する。所定時間の経過後に、調圧弁２３を閉じると燃料電池スタック１内のアノードガス入口マニホールド１４−アノードガス流路１５−アノードガス出口マニホールド１６系統の水素が電池反応により消費され、圧力低下が発生する。圧力が所定以下に低下した段階で、逆方向供給弁２９Ａを開くと、アノードガスがアノードガス出口マニホールド１６に流入し、アノードガス流路１５を経由してアノードガス入口マニホールド１４に流れる。その際に、アノードガス出口マニホールド１６内の気化した水蒸気がアノードガス流路１５に流れ、反応エリアに到達しやすくなるため、より大きい加湿効果が期待できる。以上の順方向供給−供給停止−逆方向供給−供給停止−順方向供給・・と繰り返し実行することにより、前記加湿効果を増加させることができる。
【００４０】
図６に示す燃料電池用セパレータ１３の実施例においては、アノードガス出口マニホールド１６がセパレータ１３の長手方向一方の領域の中央部分に配置され、アノードガス出口マニホールド１６の鉛直方向下方に容積が拡大されて、隣接するセル構成体１２の電解質膜１２Ａにより仕切られて溝に形成されている。この拡大されたアノードガス出口マニホールド１６は、アノードガス流路１５の出口から排出される水蒸気が凝縮されて生ずる凝縮水を溜める水溜り部５０に構成される。前記溝は、アノード側セパレータ１３ａ）とカソード側セパレータ１３（ｂ）の両方のセパレータ１３に形成することが、水溜り部５０の容積を拡大するために望ましい。即ち、前記水溜り部５０は、アノードガス出口マニホールド１６において、積層方向において、電解質膜１２Ａにより夫々仕切られて、セパレータ１３毎、即ち、燃料電池セル毎に形成される。前記アノードガス出口マニホールド１６及びその水溜り部５０は、隣接して配置される冷却水入口マニホールド４３を、上方及び側方から取囲むように配置されている。
【００４１】
アノードガス出口マニホールド１６と冷却水入口マニホールド４３がこのような配置となる場合は、温度の低い冷却水によりアノードガス出口マニホールド１６が冷却され、アノードガスに含まれる水蒸気がより凝縮し易くなり、水溜り部５０に凝縮水が溜まる作用が促進され、凝縮水の気化による加湿の効果が得られる時間の増加を期待できる。即ち、発電反応による生成水が多い高負荷発電時に水溜り部５０に凝縮水を溜め、低負荷時には逆に気化をさせて加湿効果を得ることができる。
【００４２】
即ち、高負荷発電の時ほど、燃料電池自体の発熱により温度が高く、かつ冷却水の入口温度とアノードガスの出口温度との間には、大きい温度差がある。このため、アノードガスも温度が高くなることから、アノードガスに含まれる水蒸気量も多く、アノードガス出口マニホールド１６でアノードガスを少しでも冷却できれば、多くの水蒸気を凝縮させることができる。凝縮した凝縮水は、アノードガス出口マニホールド１６の水溜り部５０に溜る。
【００４３】
一方、低負荷発電時に一度溜めた水溜り部５０内の凝縮水を再び気化させたい場合は、燃料電池自体の発熱量も小さく、温度も高負荷時よりは下がり、冷却水の入口出口の温度差が小さくなる。つまり、冷却水がアノードガス出口マニホールド１６の近傍にあっても、凝縮水の気化を妨げるほどの冷却作用はなく、凝縮水の気化による加湿の効果が得られる。
【００４４】
本実施形態においては、以下に記載する効果を奏することができる。
【００４５】
（ア）燃料電池用セパレータ１３のアノードガス出口マニホールド１６を形成する貫通孔を当該セパレータ１３の面方向に拡張させて形成され、前記アノードガス流路１５の出口から排出される生成水を貯留する水溜り部５０を備えるため、カソード側より浸透してきた生成水の気化により加湿されたアノードガスがアノードガス出口マニホールド１６を通過する際に、アノードガス出口マニホールド１６の周囲に凝縮水が付着し、水溜り部５０内に凝縮した液水が溜まることになる。高負荷発電時ほど各セル間の水溜り部５０に液水を溜めることができる。このため、低負荷で発電する場合の高負荷時に比べればガス量が少なく、アノードガス排出側ではガスの対流がほとんどないような状態においても、セパレータ１３のアノードガス出口マニホールド１６は温度が高くアノードガス流路１５の出口に近く、アノードガス出口マニホールド１６の水溜り部５０に液水が存在するため、水蒸気濃度差を駆動力としてアノードガス中に液水を気化させることができる。この気化された水蒸気は、アノードガス流路１５の出口側から相対湿度の低下を抑制して加湿することができる。そして、この加湿効果がアノードガス流路１５の出口側の反応エリア(発電面)まで到達し、燃料電池の電解質膜１２Ａの乾燥を抑制し、同時に発電性能の低下も抑制することができる。
【００４６】
(イ)アノードガス出口マニホールド１６は、冷媒入口マニホールド４３に隣接させて配置されるため、温度の低い冷却水によりアノードガス出口マニホールド１６が冷却され、アノードガスに含まれる水蒸気がより凝縮し易くなり、溝に凝縮水が溜まる作用が促進され、凝縮水の気化による加湿の効果が得られる時間の増大が期待できる。また、高負荷発電の時ほど燃料電池自体の発熱により温度が高く、かつ冷却水の入口出口の温度差が付いている。このため、アノードガスも温度が高くなることからアノードガスに含まれる水蒸気量も多く、アノードガス出口マニホールド１６でアノードガスを少しでも冷却できれば多くの水蒸気を凝縮させることができる。
【００４７】
(ウ)前記セパレータ１３は、電解質膜１２Ａの夫々の面に触媒層及びガス拡散層を積層してアノードおよびカソードとなる反応エリアを構成するセル構成体１２の一方の反応エリアに、アノードガス流路１５を対面させて積層され、前記セル構成体１２の他方の反応エリアに、カソードガス流路１８を対面させて積層されるセパレータ１３とにより燃料電池セルを構成し、前記燃料電池セルを複数積層して燃料電池スタック１を構成したため、アノード内を効率的に加湿でき、発電効率を維持できる。
【００４８】
(エ)前記燃料電池スタック１のアノード側経路の終端部分としてアノードガス出口マニホールド１６の下流側を閉じて構成し、導入したアノードガスをアノードガス入口マニホールド１４、アノードガス流路１５、アノードガス出口マニホールド１６からなる閉じた空間に充満させた状態で運転され、発電反応により前記空間内のアノードガスが消費された段階で再びアノードガスを供給するアノードガスデッドエンド型の燃料電池システムとすることができる。この場合には、燃料電池スタック１内のアノードガス入口マニホールド１４−アノードガス流路１５−アノードガス出口マニホールド１６系統に閉じこめられた水素が電池反応により消費されて内圧低下するに伴って、アノードガス出口マニホールド１６内のアノードガスがアノードガス流路１５に向かって逆流する現象を生ずる。このアノードガスの逆流に伴ってアノードガス出口マニホールド１６内に気化蒸発した水蒸気をアノードガス流路１５に供給でき、簡単な構成で有効に加湿効果を発揮させることができる。
【００４９】
（第２実施形態）
図７〜図１０は、本発明を適用した燃料電池用セパレータの第２実施形態を示し、図７及び図８は第１実施例の燃料電池用セパレータの平面図、図９及び図１０は第２実施例の燃料電池用セパレータの平面図である。本実施形態においては、アノードガス出口マニホールドのセパレータ毎に設ける水溜り部をアノードガス流路の上流側と連結する延長部を備える構成を第１実施形態に追加したものである。なお、第１実施形態と同一装置には同一符号を付してその説明を省略ないし簡略化する。
【００５０】
図７に示す第１実施例の燃料電池用セパレータ１３では、アノードガス出口マニホールド１６のセパレータ１３毎に設ける水溜り部５０をアノードガス流路１５の下側領域まで延長させた貫通孔６０を形成し、貫通孔６０の先端部分とアノードガス流路１５とを複数の小孔６１により連通させる延長部５１を形成している。前記貫通孔６０は、アノードガス出口マニホールド１６及び溝で構成する水溜り部５０と同様に、セパレータ１３（１３（ａ），１３（ｂ））を構成するプレートを貫通する長穴によって形成され、貫通孔６０とアノードガス流路１５とを連通させる小孔６１は、アノード側セパレータ１３（ａ）のアノードガス流路１５が形成されている面側に設ける複数の溝により形成している。前記貫通孔６０は、セパレータ１３の両面にセル構成体１２の電解質膜１２Ａが積層されることにより、前記水溜り部５０に連通する空間に形成され、前記貫通孔６０とアノードガス流路１５との間に設けた複数の溝は、電解質膜１２Ａが積層されることにより、電解質膜１２Ａと溝とにより貫通孔６０とアノードガス流路１５とを連通させる小孔６１となる。前記貫通孔６０及び水溜り部５０には、吸水性のある多孔質体が挿入され、凝縮水を吸水して保持する機能を備える。その他の構成は、第１実施形態と同様に構成している。
【００５１】
本実施例の燃料電池用セパレータ１３においては、燃料電池スタック１として構成した場合に、アノードガス出口マニホールド１６には、セル構成体１２の反応エリアの鉛直方向の下側よりも下方領域に容積が拡大されて、隣接するセル構成体１２の電解質膜１２Ａにより仕切られて溝に形成されたセル毎の水溜り部５０と、水溜り部５０に連なり且つ小孔６１によりアノードガス流路１５にも連なる貫通孔６０を備える延長部６１と、を備えるものとできる。
【００５２】
このため、水収支が湿潤（ウェット）側になるような運転条件(中高負荷状態)での燃料電池システムの運転時に、アノードガス流路１５の水蒸気がアノード下流側に運ばれてアノードガス出口マニホールド１６に排出される。アノードガス出口マニホールド１６に排出された水蒸気は、アノードガス出口マニホールド１６に隣接する冷却水入口マニホールド４３の冷却水により冷却され、凝縮されて、アノードガス出口マニホールド１６のセパレータ１３により形成した水溜り部５０及び貫通孔６０に吸水され、凝縮水として溜められる。アノードガス流路１５の出口の湿度が高い水収支が湿潤（ウェット）側になるような運転条件(中高負荷状態)ほど、水の凝縮捕集機能は向上する。
【００５３】
そして、アノードガス出口マニホールド１６の溝内の凝縮水は温度が高いので、アノードガス出口マニホールド１６内の水蒸気分圧を高く保持できる。このため、水収支が乾燥（ドライ）側の条件(低負荷状態)で燃料電池システムを運転した場合に、最も乾燥（ドライ）状態になり易いアノードガス流路１５の下流部（カソードガス流路１８の上流部）を水蒸気の拡散により加湿することができる。加えて、貫通孔６０に保持された凝縮水より気化した水蒸気は、小孔６１を介してより上流部のアノードガス流路１５に拡散し、上流部のアノードガス流路１５に面しているセル構成体１２の反応エリアを加湿する。したがって、セル構成体１２の反応エリアは、下流部からの加湿と上流部からの加湿とが実行され、さらに加湿効果の向上が期待できる。結果として、公知の技術で説明したような乾燥領域が上流から中流に進行していく負の連鎖が起きなくなり、安定して発電を継続することができる。
【００５４】
なお、アノードガスの流れがアノードガス入口マニホールド１４−アノードガス流路１５−アノードガス出口マニホールド１６となる順方向の場合には、反応エリアとアノードガス出口マニホールド１６との圧力差に相当する駆動エネルギをもってアノードガスが小孔６１を経由して貫通孔６０に入り込み、溜めた凝縮水をアノードガス出口マニホールド１６に押し流すことが考えられる。しかしながら、水溜り部５０及び貫通孔６０を構成する空間内には、両端が電解質膜１２Ａに保持された多孔質体による圧損要素を設けているため、アノードガスの流入を防止することができる。
【００５５】
図８に示す変形例においては、アノードガス流路１５に沿って設ける延長部５１，５２を、アノードガス流路１５の鉛直方向の上下両側に配置したものである。他方の延長部５２における貫通孔６２は、アノード側セパレータ１３（ａ）とカソード側セパレータ１３（ｂ）の両方に形成され、吸水性のある多孔質体が挿入される。また、貫通孔６２とアノードガス流路１５とを連通させる小孔６４は、アノード側セパレータ１３（ａ）のアノードガス流路１５が形成されている面側に設ける複数の溝により形成している。一方の延長部５１は、図６に示すものと同じであるが、他方の延長部５２における貫通孔６２は、アノードガス出口マニホールド１６から上方に離れた部位に配置され、小孔６４によりアノードガス流路１５と連通されている。このため、アノードガス出口マニホールド１６と他方の貫通孔６２とを接続する通路が形成される。この通路は、アノード側セパレータ１３（ａ）のアノードガス流路１５が形成されている表面側において、他方の貫通孔６２とアノードガス出口マニホールド１６とを繋ぐ連通溝６３で形成され、この連通溝６３内に吸水性のある多孔質体を埋め込むことにより、形成する。
【００５６】
この変形例においては、水収支が湿潤（ウェット）側になるような運転条件(中高負荷状態)での燃料電池システムの運転時に、他方の延長部５２に対しては、連通溝６３および貫通孔６２に配置した多孔質体の毛細管作用により、アノードガス出口マニホールド１６に生ずる凝縮水を移動させて溜めることができる。このため、水収支が乾燥（ドライ）側の条件(低負荷状態)で燃料電池システムを運転した場合に、最も乾燥（ドライ）状態になり易いアノードガス流路１５の下流部（カソードガス流路１８の上流部）を水蒸気の拡散により加湿することに加えて、アノードガス流路１５の鉛直方向両側に配置された延長部５１，５２に保持された凝縮水より気化した水蒸気を、小孔６１，６４を介してより上流側のアノードガス流路１５に両側から拡散させ、上流側のアノードガス流路１５に面しているセル構成体１２の反応エリアを加湿することができる。したがって、セル構成体１２の反応エリアは、下流部からの加湿と、より上流部の両側からの加湿とが実行され、さらに加湿効果の向上が期待できる。
【００５７】
図９に示す第２実施例の燃料電池セパレータ１３では、アノードガス出口マニホールド１６のセパレータ１３毎に設ける水溜り部５０をアノードガス流路１５の入口側のガス拡散領域１５Ａの下方まで延長させた貫通孔６５を形成し、貫通孔６５の先端部分から入口側ガス拡散領域１５Ａの前方に回り込む連通溝６６により形成した通路を形成し、この連通溝６６とアノードガス流路１５の入口側のガス拡散領域１５Ａとを複数の小孔６７により連通させる延長部５３を構成している。前記貫通孔６５は、セパレータ１３（１３（ａ），１３（ｂ））を構成するプレートを貫通する長穴によって形成され、前記連通溝６６及び小孔６７は、アノード側セパレータ１３（ａ）のアノードガス流路１５が形成されている面側に設ける複数の溝により形成している。前記連通溝６６及び前記連通溝６６内にも吸水性のある多孔質体が埋め込まれている。この場合の延長部５３の貫通孔６５、連通溝６６、複数の小孔６７は、夫々第１実施例の延長部５１，５２の貫通孔６０、連通溝６３、複数の小孔６１，６４と同様に形成されている。
【００５８】
本実施例の燃料電池用セパレータ１３においては、燃料電池スタック１として構成した場合に、アノードガス出口マニホールド１６には、セル構成体１２の反応エリアの鉛直方向の下側よりも下方領域に容積が拡大されて、隣接するセル構成体１２の電解質膜１２Ａにより仕切られて溝に形成されたセル毎の水溜り部５０及び水溜り部５０に連なる貫通孔６５とは、周囲が閉じられた空間に形成される。また、貫通孔６５の先端に連なり入口側ガス拡散領域１５Ａの前方に回り込む連通溝６６により形成した通路と、連通溝６６とアノードガス流路１５の入口側のガス拡散領域１５Ａとを連通させる複数の小孔６７とは、その開口部を電解質膜１２Ａにより閉じられて通路に形成される。
【００５９】
このため、水収支が湿潤（ウェット）側になるような運転条件(中高負荷状態)での燃料電池システムの運転時に、アノードガス流路１５の水蒸気がアノード下流側に運ばれてアノードガス出口マニホールド１６に排出される。アノードガス出口マニホールド１６に排出された水蒸気は、アノードガス出口マニホールド１６に隣接する冷却水入口マニホールド４３の冷却水により冷却され、凝縮されて、アノードガス出口マニホールド１６のセパレータ１３により形成した水溜り部５０及び貫通孔６５に吸水され、凝縮水として溜められる。アノードガス流路１５の出口の湿度が高い水収支が湿潤（ウェット）側になるような運転条件(中高負荷状態)ほど、水の凝縮捕集機能は向上する。溜められた凝縮水は連通溝６６に配置した多孔質体の毛細管作用により連通溝６６にも導入される。
【００６０】
そして、アノードガス出口マニホールド１６の水溜り部５０内の生成水は温度が高いので、アノードガス出口マニホールド１６内の水蒸気分圧を高く保持できる。このため、水収支が乾燥（ドライ）側の条件(低負荷状態)で燃料電池システムを運転した場合に、最も乾燥（ドライ）状態になり易いアノードガス流路１５の下流部（カソードガス流路１８の上流部）を水蒸気の拡散により加湿することができる。
【００６１】
加えて、貫通孔６５及び連通溝６６に保持された凝縮水より気化した水蒸気は、連通溝６６、小孔６７を介してよりアノードガス流路１５の上流側のガス拡散領域１５Ａに拡散される。ガス拡散領域１５Ａにより拡散された水蒸気は、アノードガス流路１５の上流側においてアノードガス流路１５の幅方向に広く拡散され、対面しているセル構成体１２の広い範囲の反応エリアを加湿する。この場合に、連通溝６６は相対的に高温となる冷却水流路の出口側及びカソードガス流路１８の出口側に隣接しているため、連通溝６６に導入される凝縮水の気化が促進される。
【００６２】
したがって、セル構成体１２の反応エリアは、下流部からの加湿と、上流部からの加湿とが実行され、さらに加湿効果の向上が期待できる。結果として、公知の技術で説明したような乾燥領域が上流から中流に進行していく連鎖が起きなくなり、安定して発電を継続することができる。
【００６３】
図１０に示す第２実施例の改良例の燃料電池セパレータ１３では、第２実施例の燃料電池セパレータ１３に対して、アノードガス入口マニホールド１４にも凝縮水を気化させた水蒸気を供給する延長部５４の構成を追加したものである。このために、この実施例の燃料電池セパレータ１３では、アノードガス出口マニホールド１６から上方に離れた部位にも他方の貫通孔６８を配置し、この他方の貫通孔６８とアノードガス出口マニホールド１６とを、セパレータ１３のアノードガス流路１５が形成されている表面側において、繋ぐ連通溝６３を形成して延長部５４を構成している。そして、他方の貫通孔６８はアノードガス入口マニホールド１４に隣接する部位までセパレータ１３の長手方向に延されている。他方の貫通孔６８の先端とアノードガス入口マニホールド１４とを複数の小孔６９により連通させるよう構成している。前記貫通孔６８は、セパレータ１３（１３（ａ），１３（ｂ））を構成するプレートを貫通する長穴によって形成され、前記連通溝６３は、アノード側セパレータ１３（ａ）のアノードガス流路１５が形成されている面側に設ける溝により形成され、また、小孔６９は、アノード側セパレータ１３（ａ）のアノードガス流路１５が形成されている面側に設ける複数の溝により形成している。前記連通溝６３内及び他方の貫通孔６８内には吸水性のある多孔質体が埋め込まれている。この場合の他方の延長部５４の貫通孔６８、連通溝６３、複数の小孔６９は、夫々第１実施例の延長部５２の貫通孔６２、連通溝６３、複数の小孔６４と同様に形成されている。
【００６４】
本実施例の燃料電池用セパレータ１３においては、燃料電池スタック１として構成した場合に、アノードガス入口マニホールド１４に対しても、凝縮水を気化させた水蒸気を供給することができる。このため、アノードガス出口マニホールド１６からと、アノード入口側ガス拡散領域１５Ａと、アノードガス入口マニホールド１４と、から広範囲にわたり加湿効果が得られる。更に、アノードガスとカソードガスとがカウンターフローとなる構成のため、気化面の位置が比較的高温な冷却水出口、カソード出口近傍となり、気化面が温められることで気化が促進され、より大きな加湿効果が期待できる。
【００６５】
本実施形態においては、第１実施形態における効果（ア）〜（ウ）に加えて以下に記載した効果を奏することができる。
【００６６】
（オ）水溜り部５０は、それに連ねて形成した空間により形成される延長部５１，５２を備え、前記延長部５１，５２は、下流側のアノードガス流路１５を含む上流側のアノードガスが通過するいずれかの領域に連通されているため、水溜り部５０に溜めた液水をアノードガス流路１５の出口側反応エリア(発電面)の近傍で気化させることができ、アノードガス出口マニホールド１６での気化による加湿効果の他に、特に加湿したいアノードガス流路１５の出口側発電面近傍での気化加湿が可能となり、より加湿範囲が広くなり、発電効率が上がる。
【００６７】
（カ）水溜り部５０は、それに連ねて形成した空間により形成される延長部５３，５４を備え、前記延長部５３，５４は、アノードガス流路１５の上流側ガス拡散領域１５Ａ、アノードガス入口マニホールド１４の少なくともいずれか一つの領域若しくは複数の領域に連通されていることにより、水溜り部５０に溜めた液水をアノードガス流路１５の入口側で気化させることができ、ガス拡散領域１５Ａでの拡散効果を得られ、より広い発電面を加湿することが可能となる。即ち、アノードガス出口マニホールド１６側からと、アノードガス流路１５の入口側とから広範囲にわたり加湿効果が得られる。しかも、延長部５３，５４は、相対的に高温となる冷却水出口・カソードガス出口マニホールド１９近傍で気化面が設定されることになり、気化が促進される。
【図面の簡単な説明】
【００６８】
【図１】本発明の一実施形態を示す燃料電池用セパレータを適用する燃料電池システムの概略構成図。
【図２】同じく本実施形態の燃料電池用セパレータにより形成される燃料電池セルの説明図。
【図３】同じく本実施形態の燃料電池用セパレータの背面図。
【図４】本実施形態を示す燃料電池用セパレータを適用する第２の燃料電池システムの概略構成図。
【図５】本実施形態を示す燃料電池用セパレータを適用する第３の燃料電池システムの概略構成図。
【図６】同じく本実施形態の変形例を示す燃料電池用セパレータの正面図。
【図７】本発明の第２実施形態の第１実施例を示す燃料電池用セパレータの正面図。
【図８】第１実施例の変形例を示す燃料電池用セパレータの正面図。
【図９】本発明の第２実施形態の第２実施例を示す燃料電池用セパレータの正面図。
【図１０】第２実施例の変形例を示す燃料電池用セパレータの正面図。
【符号の説明】
【００６９】
１  燃料電池スタック
２  燃料ガス供給手段
３  酸化ガス供給手段
４  冷却媒体供給手段
５  制御手段としての制御装置
１０  燃料電池モジュール
１１  エンドプレート
１２  セル構成体
１３  セパレータ
１４  アノード入口内部マニホールド
１５  アノードガス流路
１６  アノード出口内部マニホールド
２１  水素タンク
２３  水素調圧弁
２４  排ガスライン
２５  排ガスパージ弁
３１  コンプレッサ
３４  背圧調整弁
５０  水溜り部
５１，５２，５３，５４  延長部
【図１】
2010129482.tif 000003
【図４】
2010129482.tif 000004
【図５】
2010129482.tif 000005
【図２】
2010129482.tif 000006
【図３】
2010129482.tif 000007
【図６】
2010129482.tif 000008
【図７】
2010129482.tif 000009
【図８】
2010129482.tif 000010
【図９】
2010129482.tif 000011
【図１０】
2010129482.tif 000012